(57)【要約】      （修正有）【課題】部品点数が最小化され、また、内部の空き空間が最小化されたコップ取出装置を提供する。【解決手段】コップ取出装置の骨格をフレーム１０が形成する。フレーム１０を上下に貫通して、貫通部１２が形成される。フレーム１０には、フレームカバー２６が装着される。フレーム１０とフレームカバー２６とが形成する空間には、コップ取出レバー３２の両端部の一部が移動可能に設置される。コップ取出レバー３２は、コップの支持のための下支持片３８と上支持片４０とをそれぞれ一体として有する。コップ取出レバー３２には、さらに、ユーザの操作力が伝達されるボタン部３４が一体で形成される。フレームカバー２６には、マガジン５０が装着される。マガジン５０の内部には、多数個のコップが積層されて設置される。【選択図】図２
0003148722.tif 000002
【実用新案登録請求の範囲】
【請求項１】
中央を貫通してコップが通過する貫通部が形成され、両端に移動段が形成されるフレームと、
胴体部の両端にそれぞれ向かい合って形成され、前記貫通部に積層されて位置されたコップの両端を交互に支持する下支持片と上支持片とが設けられ、前記移動段に沿って移動可能に設置され、両端部がスプリングで支持され、ユーザにより加えられる力を伝達するボタン部が一体で形成されるコップ取出レバーと、
前記フレームに装着され、前記移動段を遮蔽し、前記コップ取出レバーの胴体部の一部を遮蔽し、前記ボタン部を前記フレームの外部に露出させるフレームカバーと、
前記貫通部と連通して前記フレームカバーに結合され、多数個のコップが積層して保管されるマガジンとを備えることを特徴とするコップ取出装置。
【請求項２】
前記コップ取出レバーは、前記胴体部の両端が互いに平行に一方向に延長され、先端には、前記胴体部の両端を連結するように、前記ボタン部が一体で形成されることを特徴とする請求項１に記載のコップ取出装置。
【請求項３】
前記下支持片と前記上支持片とは、前記胴体部の両端の部位からそれぞれ向かい合う方向に突設され、前記下支持片と前記上支持片との重力方向の高さ差は、積層されたコップ間の間隔と同一に形成され、前記上支持片の下面には、コップ間を分離させる分離傾斜面が形成されることを特徴とする請求項２に記載のコップ取出装置。
【請求項４】
前記フレームの下部には、コップを外部に取り出させる取出シュートが形成され、該取出シュートの先端の内周縁には、コップの周縁を係止する係止リブが設けられることを特徴とする請求項３に記載のコップ取出装置。
【請求項５】
前記フレームの後端には、装着板が一体に形成され、該装着板には、マグネットパッドが設けられ、磁力により、前記フレームを金属材質に付着可能に構成されることを特徴とする請求項１乃至４のいずれか１項に記載のコップ取出装置。
【請求項６】
前記フレームカバーは、前記マガジンが装着されるように、中央を貫通して貫通部が形成される円筒状のマガジンリング部と、該マガジンリング部と一体になり、前記移動段を遮蔽する蓋部とで構成されることを特徴とする請求項５に記載のコップ取出装置。
【請求項７】
前記マガジンには、マガジンカバーが設けられ、前記マガジンの内部に異物が侵入するのを防止することを特徴とする請求項６に記載のコップ取出装置。
【考案の詳細な説明】
【技術分野】
【０００１】
本考案は、コップ取出装置に関し、より詳しくは、コップを多数個積層して保管し、ユーザが一つずつ取り出して使用することができるように供給するコップ取出装置に関する。
【背景技術】
【０００２】
お水、飲料等を分け出して飲むのにコップを用いるが、多数個のコップを保管し、ユーザが所望のときに一つずつ使用することができるようにするためには、浄水器等の水のあるところにコップを置く必要がある。
【０００３】
しかしながら、数個のコップを外気に露出した状態で置くのは、衛生上多くの問題点を有する。すなわち、前記紙コップを別に収納して保管すべき装置がなく、コップを使用し易い場所に置いて使用すると、コップの保管過程でゴキブリ等の害虫が接近し、または、埃が紙コップに付き、衛生上問題が生じ得る。
【０００４】
これを解決するために、多数個のコップを積層して保管し、ユーザが取り出して使用するようなコップ取出装置が提案されている（例えば、特許文献１）。
【特許文献１】韓国実用新案登録２０−３４５９１１号明細書
【０００５】
しかしながら、従来のコップ取出装置は、部品点数が多く、製造原価が高く、多くの部品が組み立てられるため、組立公差と製造公差とが累積してしまい、動作が円滑ではないという問題点があった。
【考案の開示】
【考案が解決しようとする課題】
【０００６】
本考案は、上記問題点に鑑みてなされたものであり、部品点数が最小化されたコップ取出装置を提供することを目的とする。
【０００７】
また、内部の空き空間が最小化されたコップ取出装置を提供することを他の目的とする。
【課題を解決するための手段】
【０００８】
上記の目的を達成するため、本考案に係るコップ取出装置は、中央を貫通してコップが通過する貫通部が形成され、両端に移動段が形成されるフレームと、胴体部の両端にそれぞれ向かい合って形成され、前記貫通部に積層されて位置されたコップの両端を交互に支持する下支持片と上支持片とが設けられ、前記移動段に沿って移動可能に設置され、両端部がスプリングで支持され、ユーザにより加えられる力を伝達するボタン部が一体で形成されるコップ取出レバーと、前記フレームに装着され、前記移動段を遮蔽し、前記コップ取出レバーの胴体部の一部を遮蔽し、前記ボタン部を前記フレームの外部に露出させるフレームカバーと、前記貫通部と連通して前記フレームカバーに結合され、多数個のコップが積層して保管されるマガジンとを備えることを特徴とする。
【０００９】
また、本考案に係るコップ取出装置においては、前記コップ取出レバーは、前記胴体部の両端が互いに平行に一方向に延長され、先端には、前記胴体部の両端を連結するように、前記ボタン部が一体で形成されてもよい。
【００１０】
また、本考案に係るコップ取出装置においては、前記下支持片と前記上支持片とは、前記胴体部の両端の部位からそれぞれ向かい合う方向に突設され、前記下支持片と前記上支持片との重力方向の高さ差は、積層されたコップ間の間隔と同一に形成され、前記上支持片の下面には、コップ間を分離させる分離傾斜面が形成されてもよい。
【００１１】
また、本考案に係るコップ取出装置においては、前記フレームの下部には、コップを外部に取り出させる取出シュートが形成され、該取出シュートの先端の内周縁には、コップの周縁を係止する係止リブが設けてもよい。
【００１２】
また、本考案に係るコップ取出装置においては、前記フレームの後端には、装着板が一体に形成され、該装着板には、マグネットパッドが設けられ、磁力により、前記フレームを金属材質に付着可能に構成されてもよい。
【００１３】
また、本考案に係るコップ取出装置においては、前記フレームカバーは、前記マガジンが装着されるように、中央を貫通して貫通部が形成される円筒状のマガジンリング部と、該マガジンリング部と一体になり、前記移動段を遮蔽する蓋部とで構成されてもよい。
【００１４】
また、本考案に係るコップ取出装置においては、前記マガジンには、マガジンカバーが設けられ、前記マガジンの内部に異物が侵入するのを防止してもよい。
【考案の効果】
【００１５】
本考案によると、内部に不要な空間がなく、より衛生的にコップを保管することができるようになる効果が得られる。すなわち、コップ取出レバーの先端にあるボタン部が、フレームとフレームカバーとの内部空間に位置されず、フレームの外部に露出しており、フレームとフレームカバーとの内部空間を相対的に減らし、この空間に害虫が生息しないようになる。
【００１６】
また、コップを支持し分離して取り出し、ユーザからの操作力が伝達される構成がコップ取出レバーのみで構成され、装着板がフレームと一体になり、全体的にコップ取出装置の部品点数が減る。したがって、コップ取出装置の製造原価が低くなる効果がある。
【００１７】
また、全体的に部品点数が削減され、部品の製作公差と組立公差との累積が最小化し、動作信頼性が高くなり、特に、コップ取出レバーの両端がそれぞれスプリングで支持されており、コップ取出レバーが動作後に元の位置に正確に戻ることができ、動作信頼性が高くなる効果もある。
【考案を実施するための最良の形態】
【００１８】
以下、添付した図面に基づき、本考案の好適な実施例について詳述する。
【００１９】
図１〜図７に示すように、フレーム１０は、本考案によるコップ取出装置の骨格を形成するものである。前記フレーム１０は、略円筒状であり、その中央を上下に貫通する貫通部１２が形成される。前記貫通部１２は、本考案のコップ取出装置により供給されるコップ（一般には紙コップ）の直径よりも大きな内径を有して形成される。
【００２０】
前記フレーム１０の後端には、装着板１４が一体に形成される。前記装着板１４は、本実施例では、四角板状になっているが、これに限定されるものではない。前記装着板１４には、マグネットパッド１６が装着され、金属からなる外面を有する浄水器や冷蔵庫等に付着することができる。もちろん、フレーム１０に装着板１４を設けず、特許文献１（韓国実用新案登録２０−３４５９１１号明細書）に開示されているような構成を採用して、コップ取出装置を設置してもよい。
【００２１】
前記フレーム１０の上端の両側には、移動段１８，１８が所定の幅で形成される。前記移動段１８は、前記フレーム１０の上端の両側に、フレーム１０の先端側から後端側に向かって、平行に延長されて形成される。前記移動段１８は、後述するコップ取出レバー３２の胴体部３２’を装着して移動させる部分である。
【００２２】
前記移動段１８の上面には、移動段１８の長手方向に長尺な案内チャネル１９が形成される。前記案内チャネル１９は、後述するコップ取出レバー３２の移動を案内する役割を有する。すなわち、前記案内チャネル１９にコップ取出レバー３２の突出部が挿入され、コップ取出レバー３２が移動するのを規制する役割を有する。前記移動段１８の後端には、案内リブ２０が設けられる。前記案内リブ２０は、後述するスプリング３３の位置決めする役割とコップ取出レバー３２の移動を案内する役割とを有する。前記フレーム１０の上端に該当する移動段１８等には、後述するフレームカバー２６との結合のための構成が形成される。
【００２３】
前記フレーム１０の下端には、取出シュート２２が形成される。前記取出シュート２２は、コップｃがフレーム１０の下部から取り出される部分である。前記取出シュート２２には、その先端の内周縁を取り囲む係止リブ２４が形成される。前記係止リブ２４は、コップｃが取出シュート２２の外部に抜け出さずに係止するようにする部分である。前記取出シュート２２は、その一部が切り欠かれている。すなわち、前記フレーム１０の前面部分に該当する部分が開口して形成されるが、これは、コップｃを取出シュート２２から取り出し易くするためである。
【００２４】
フレームカバー２６は、前記フレーム１０の上端に装着され、フレーム１０の上端を遮蔽するものである。前記フレームカバー２６は、円筒状からなるマガジンリング部２８と、前記移動段１８，１８を遮蔽する蓋部３０とで構成される。前記マガジンリング部２８には、貫通部２８’が形成されるが、前記貫通部２８’の内径は、前記フレーム１０の貫通部１２の内径とほぼ同じである。前記フレームカバー２６は、前記フレーム１０に別途の締付具（例えば、ネジ）を用いて締め付けられ、または、その構造的特性により結合して締め付けられてもよい。
【００２５】
前記フレームカバー２６の蓋部３０と前記フレーム１０の移動段１８との間に形成された空間に、コップ取出レバー３２が設けられる。前記コップ取出レバー３２は、平面視において、胴体部３２’がＵ字状である。すなわち、胴体部３２’の両端が、互いに平行に一方向に延長される。前記胴体部３２’は、両端が前記フレーム１０とフレームカバー２６とにより形成される空間の内部において、スプリング３３，３３で支持され設置される。前記スプリング３３は、一端部が前記胴体部３２’に支持され、他端部が前記フレーム１０の後端、例えば、前記装着板１４に支持される。
【００２６】
前記胴体部３２’の先端には、ボタン部３４が形成されるが、前記ボタン部３４は、前記フレームカバー２６とフレーム１０とで形成された空間の外部、すなわち、前記フレーム１０の外面の前方に露出している。前記ボタン部３４は、ユーザがコップｃを取り出すとき、指で押す部分である。前記胴体部３２’の両端には、スプリングボス３６，３６が形成される。前記スプリングボス３６は、前記スプリング３３の一端部が挟持される部分である。
【００２７】
前記コップ取出レバー３２の胴体部３２’の両端には、向かい合う方向に突出する下支持片３８，３８と上支持片４０，４０とが形成される。前記下支持片３８，３８は、前記胴体部３２’の両後端側に形成される。前記下支持片３８，３８は、前記フレーム１０の貫通部２８’の内部に積層されて位置されたコップｃ，…のうち、最下端のコップｃの両端を支持する役割を有する。
【００２８】
前記上支持片４０は、前記下支持片３８よりも前記胴体部３２’の先端側、すなわち、ボタン部３４側に形成されるものである。前記上支持片４０，４０は、前記コップ取出レバー３２が押圧されて移動することにより、前記下支持片３８，３８により支持されていた最下端のコップｃが前記取出シュート２２に下がる瞬間に、その真上にあったコップｃの両端を支持する役割を有する。前記上支持片４０，４０も、前記両端の胴体部３２’において、向かい合う方向に突設される。前記上支持片４０は、前記下支持片３８よりも若干高い位置に形成されるが、その高さ差は、互いに積層されるコップｃ，ｃの上端間の距離と同じである。
【００２９】
前記上支持片４０の下面のうち、前記下支持片３８側には、分離傾斜面４２が形成される。前記分離傾斜面４２は、互いに積層されているコップｃ，ｃ間を分離させる役割を有するものである。すなわち、前記分離傾斜面４２は、コップｃ，ｃが互いに強く嵌まっている場合、これを分離するためのものである。このため、前記分離傾斜面４２は、前記上支持片４０の端部を相対的に薄くして形成される。
【００３０】
参考として、前記コップ取出レバー３２の上支持片４０と下支持片３８との間の距離を調整すると、コップ取出装置において、他の大きさのコップｃを用いることができる。すなわち、コップ取出レバー３２のみ交換すると、前記フレーム１０、フレームカバー２６、及びマガジン５０は、相対的に大きなコップｃの寸法に合わせて作製することにより、部品を共用することができるようになる。
【００３１】
前記フレームカバー２６のマガジンリング部２８は、マガジン５０を挟持する。前記マガジン５０は、円筒状を有するものであり、内部に積層されたコップｃ，…を保管する。前記マガジン５０の内部は、前記フレームカバー２６の貫通部２８’及びフレーム１０の貫通部１２と連通する。前記マガジン５０の上端には、マガジンカバー５２が設けられ、マガジン５０の内部に埃等が流入することを防止する。
【００３２】
以下、このような構成を有する本考案によるコップ取出装置の作用について詳述する。
【００３３】
本考案のコップ取出装置は、図１に示すように組み立てられ、装着板１４のマグネットパッド１６が浄水器や冷蔵庫等の金属材からなる外面に付着されて設置される。前記マガジン５０の内部には、多数個のコップｃ，…が積層され収納されている。このとき、前記コップｃ，…のうち最下端のコップｃが、前記コップ取出レバー３２の下支持片３８，３８により両端が支持されている。したがって、実際に、コップｃ，…全体が、前記コップ取出レバー３２の下支持片３８，３８により支持されている。このような状態が、図５に示されている。
【００３４】
前記下支持片３８，３８によりコップｃ，…全体が支持されている状態は、前記コップ取出レバー３２が、前記フレーム１０とフレームカバー２６とにより形成される空間の外部に相対的にさらに突出した状態であり、前記スプリング３３は、弾性変形していない状態である。
【００３５】
このような状態で、ユーザが前記コップ取出レバー３２のボタン部３４を指で押すと、前記コップ取出レバー３２は、前記スプリング３３を弾性変形させながら移動する。前記コップ取出レバー３２が移動し始めると、前記コップｃの両端を支持していた下支持片３８，３８は、移動することにより、これ以上コップｃを支持できなくなると共に、前記下支持片３８，３８と一緒に移動していた上支持片４０，４０は、最下部にあったコップｃの真上のコップｃを支持するようになる。したがって、前記下支持片３８，３８が支持していた最下部のコップｃは、これ以上支持されないので、自重により、前記取出シュート２２の方向に落下する。
【００３６】
このような過程で、最下部のコップｃが真上のコップｃと強く嵌まっている場合は、前記上支持片４０に形成された分離傾斜面４２により分離が行われる。すなわち、前記分離傾斜面４２が、図７に示すように、コップｃ，ｃの両端間に入り込みながら、両コップｃ，ｃを分離させる。また、前記上支持片４０，４０は、最下部のコップｃが分離された状態で、新たに最下部に位置するようになったコップｃを支持するようになる。すなわち、この状態では、前記上支持片４０，４０が、前記コップｃを支持するようになる。このような状態が、図６に示されている。
【００３７】
前記コップ取出レバー３２を完全に押していた状態から、ユーザが押すのをやめると、前記スプリング３３の復元力により、前記コップ取出レバー３２は、フレーム１０の前方に移動する。このようなコップ取出レバー３２の移動により、前記上支持片４０，４０が支持していたコップｃ，…全体は、上支持片４０，４０の移動により、上支持片４０，４０にこれ以上支持されず、重力方向に移動する。
【００３８】
また、前記上支持片４０，４０と一緒に移動していた下支持片３８，３８により、新たに最下部に位置するようになったコップｃが支持される。すなわち、コップｃ，…全体が、前記下支持片３８，３８により支持される。このとき、前記コップｃの移動は、前記上支持片４０と下支持片３８との間の重力方向の高さ差だけ行われる。
【００３９】
前記下支持片３８，３８で支持されてから、前記取出シュート２２に落下されるコップｃは、前記取出シュート２２の係止リブ２４に係止されているようになる。すなわち、コップｃの上端の周縁に突出した部分が、前記係止リブ２４に係止され、取出シュート２２に位置するようになり、ユーザは、前記コップｃを取出シュート２２から分離して使用すればよい。
【００４０】
本考案の権利範囲は、上述した実施例に限定されず、実用新案登録請求の範囲に記載された内容により定義され、本考案による分野における通常の知識を有する者が、実用新案登録請求の範囲に記載の権利範囲の内で、様々な変形と改良とが可能であることは自明である。
【００４１】
例えば、前記フレーム１０には、前記貫通部１２と移動段１８との機能を果たす構成のほか、他の構成がさらに設けられてもよく、コップｃが通過することができる前記貫通部１２の構成以外に、様々な形状を有してもよい。すなわち、前記フレーム１０の外面は、必ずしも円筒状である必要はない。
【００４２】
また、前記フレームカバー２６は、前記フレーム１０と一体に形成されてもよい。この場合は、前記コップ取出レバー３２を設置するために、前記フレームカバー２６の形状は、図示された実施例のものとは若干異なってもよい。
【図面の簡単な説明】
【００４３】
【図１】本考案に係るコップ取出装置の好適な実施例の構成を示す斜視図である。
【図２】同実施例の構成を示す分解斜視図である。
【図３】同実施例を構成するフレームの構成を示す斜視図である。
【図４】同実施例を構成するコップ取出レバーの構成を示す斜視図である。
【図５】同実施例において、下支持片によりコップが支持された状態を示す斜視図である。
【図６】同実施例において、上支持片によりコップが支持された状態を示す斜視図である。
【図７】同実施例において、分離傾斜面によりコップ間が分離されることを示す一部断面側面図である。
【符号の説明】
【００４４】
１０    フレーム
１２    貫通部
１４    装着板
１６    マグネットパッド
１８    移動段
１９    案内チャネル
２０    案内リブ
２２    取出シュート
２４    係止リブ
２６    フレームカバー
２８    マガジンリング部
２８’    貫通部
３０    蓋部
３２    コップ取出レバー
３２’    胴体部
３３    スプリング
３４    ボタン部
３６    スプリングボス
３８    下支持片
４０    上支持片
４２    分離傾斜面
５０    マガジン
５２    マガジンカバー
【図１】
0003148722.tif 000003
【図２】
0003148722.tif 000004
【図３】
0003148722.tif 000005
【図４】
0003148722.tif 000006
【図５】
0003148722.tif 000007
【図６】
0003148722.tif 000008
【図７】
0003148722.tif 000009